(57)【要約】【課題】部材の表面に塗装等の加工が施されてしまうことを確実に防止する。【解決手段】塗装忌避部２１の外周面２１ｆを覆うカバー部材１であって、塗装忌避部２１の外周面２１ｆに接する内周面１１と、内周面１１の形状を保持する外周部１２と、を備え、内周面１１と外周部１２とを含む切断平面を想定したとき、内周面形状は円状ではなく、外周面形状は円状である。【選択図】図１
2018161621.tif 000002
【特許請求の範囲】
【請求項１】
部材の表面を覆うカバー部材であって、
前記部材の表面に接する内周面と、
前記内周面の形状を保持する外周部と、を備え、
前記内周面と前記外周部とを含む切断平面を想定したとき、
前記切断平面における前記内周面の連続形状は、円状ではなく、
前記切断平面における前記外周部の外周面の連続形状は、円状であることを特徴とするカバー部材。
【請求項２】
前記外周面には、前記外周面に沿った形状の固定部材が固定される固定部が設けられていることを特徴とする請求項１に記載のカバー部材。
【請求項３】
前記部材の表面を覆う蓋部を更に備えることを特徴とする請求項１又は２に記載のカバー部材。
【請求項４】
前記切断平面における前記内周面の連続形状は、矩形状であることを特徴とする請求項１から３の何れか一項に記載のカバー部材。
【請求項５】
部材の表面を覆うカバー部材であって、
前記部材の表面に接する内周面と、
前記内周面の形状を保持する外周部と、を備え、
前記内周面と前記外周部とを含む切断平面を想定したとき、
前記切断平面における前記内周面の連続形状は、円状ではなく、
前記切断平面における前記外周部の外周面の連続形状は、前記外周部が外側から荷重を受けたときの応力を分散させる形状であることを特徴とするカバー部材。
【請求項６】
請求項１から５の何れか一項に記載のカバー部材を用いた、部材の加工方法であって、
前記カバー部材で前記部材の表面を覆った状態で、前記部材の前処理又は塗装を行うことを特徴とする部材の加工方法。
【発明の詳細な説明】
【技術分野】
【０００１】
本発明は、カバー部材、及び部材の加工方法に関する。
【背景技術】
【０００２】
柱等の部材を、塗料が貯められた塗装用プール（以下単に「プール」ともいう。）に沈めて塗装する技術において、部材の一部は塗装したくない場合がある。従来、部材の表面を覆うカバー部材において、例えば特許文献１、２に開示されたものがある。
例えば、特許文献１は、Ｈ形鋼における水平鋼、垂直鋼を覆うマスキング用具の断面形状を、コ字状としたものである。特許文献１において、Ｈ形鋼とマスキング用具との密着度合は十分ではないと見受けられる。さらに、クリップでマスキング用具とＨ形鋼を固定することが考えられるが、手間がかかる。
特許文献２は、マースキングキャップの構造を、被マースキング部品の細径となる傾斜円錐部に対応して係止凹部を穿設して抜け止めがなされる構造としたものである。マースキングキャップの内周形状と外周形状とは、円状である。
【先行技術文献】
【特許文献】
【０００３】
【特許文献１】実開平２−１２１１６２号公報
【特許文献２】実開平７−３７５１号公報
【発明の概要】
【発明が解決しようとする課題】
【０００４】
しかし、部材の表面とカバー部材の内周面との間に隙間が生じてしまい、部材の表面が塗装されてしまう可能性があった。
【０００５】
そこで本発明は、部材の表面に塗装等の加工が施されてしまうことを確実に防止することを目的とする。
【課題を解決するための手段】
【０００６】
上記課題の解決手段として、本発明の一態様は、部材の表面を覆うカバー部材であって、前記部材の表面に接する内周面と、前記内周面の形状を保持する外周部と、を備え、前記内周面と前記外周部とを含む切断平面を想定したとき、前記切断平面における前記内周面の連続形状は、円状ではなく、前記切断平面における前記外周部の外周面の連続形状は、円状であることを特徴とする。
本発明の一態様は、前記外周面には、前記外周面に沿った形状の固定部材が固定される固定部が設けられていることを特徴とする。
本発明の一態様は、前記部材の表面を覆う蓋部を更に備えることを特徴とする。
本発明の一態様は、前記切断平面における前記内周面の連続形状は、矩形状であることを特徴とする。
本発明の一態様は、前記部材の表面を覆うカバー部材であって、部材の表面に接する内周面と、前記内周面の形状を保持する外周部と、を備え、前記内周面と前記外周部とを含む切断平面を想定したとき、前記切断平面における前記内周面の連続形状は、円状ではなく、前記切断平面における前記外周部の外周面の連続形状は、前記外周部が外側から荷重を受けたときの応力を分散させる形状であることを特徴とする。
本発明の一態様は、前記カバー部材を用いた、部材の加工方法であって、前記カバー部材で前記部材の表面を覆った状態で、前記部材の前処理又は塗装を行うことを特徴とする。
【発明の効果】
【０００７】
本発明の一態様によれば、切断平面における外周部の外周面の連続形状が円状であることで、外周部が外側から締め付けられた場合、外周部の周方向に均等に力がかかるため、部材の表面とカバー部材の内周面とを密着させることができる。したがって、部材の表面に塗装等の加工が施されてしまうことを確実に防止することができる。なお、加工には、部材の洗浄処理、エッチング処理等の前処理が含まれる。加えて、切断平面における外周部の内周面の連続形状が円状ではなく、切断平面における外周部の外周面の連続形状が円状であることで、部材の外周形状が円状以外の場合に広く適用することができる。加えて、部材の表面をマスキングテープで覆う場合と比較して、マスキングテープを巻回したり、塗装後に剥がしたりする手間がかからないため、作業性を向上することができる。また、作業者の技量に影響しないため、好適である。加えて、カバー部材をクリップで固定する場合と比較して、手間がかからないため、作業性を向上することができる。
本発明の一態様によれば、カバー部材の外周面には前記外周面に沿った形状の固定部材が固定される固定部が設けられていることで、前記固定部に前記固定部材を固定した場合に外周部の周方向全体にわたって均等に力をかけることができるため、部材の表面とカバー部材の内周面との密着性を高めることができる。したがって、部材の表面に塗装等の加工が施されてしまうことをより確実に防止することができる。
本発明の一態様によれば、部材の表面を覆う蓋部を更に備えることで、部材をプールに沈めた場合に、部材の内側に塗料が入り込むことを阻止することができる。
本発明の一態様によれば、切断平面における内周面の連続形状が矩形状であることで、以下の効果を奏する。ところで、矩形筒状の柱部材を、矩形枠状の溝部を有するカバー部材で覆い、柱部材とカバー部材との密着部分をクリップで固定する構造がある。しかし、クリップで固定していない部分においては、柱部材の表面とカバー部材の内周面との間に隙間が生じてしまい、柱部材の表面に塗装等の加工が施されてしまう可能性がある。これに対し、本発明の一態様によれば、切断平面における内周面の連続形状が矩形状であっても、切断平面における外周部の外周面の連続形状が円状であることで、外周部が外側から締め付けられた場合、外周部の周方向に均等に力がかかるため、部材の表面とカバー部材の内周面とを密着させることができる。したがって、部材の表面に塗装等の加工が施されてしまうことを確実に防止することができる。すなわち、切断平面における内周面の連続形状が矩形状である場合は、切断平面における内周面の連続形状が円状である場合と比較して、部材の表面とカバー部材の内周面とを密着させることが困難であるため、部材の表面に塗装等の加工が施されてしまうことを確実に防止する上で実益が大きい。
本発明の一態様によれば、切断平面における外周部の外周面の連続形状が外側から荷重を受けたときの応力を分散させる形状であることで、外周部が外側から締め付けられた場合、外周部の局所に応力が集中しないため、部材の表面とカバー部材の内周面とを密着させることができる。したがって、部材の表面に塗装等の加工が施されてしまうことを確実に防止することができる。加えて、切断平面における外周部の内周面の連続形状が円状ではなく、切断平面における外周部の外周面の連続形状が外側から荷重を受けたときの応力を分散させる形状であることで、部材の外周形状が円状以外の場合に広く適用することができる。
本発明の一態様によれば、上記カバー部材で部材の表面を覆った状態で部材の前処理又は塗装を行うことで、部材の表面が前処理又は塗装されてしまうことを確実に防止することができる。
【図面の簡単な説明】
【０００８】
【図１】実施形態に係るカバー部材及び固定部材の分解斜視図である。
【図２】実施形態に係るカバー部材を柱部材に組付けた状態を示す斜視図である。
【図３】実施形態に係るカバー部材の平面図である。
【図４】図３のＩＶ−ＩＶ断面図である。
【図５】実施形態の第一変形例に係るカバー部材の図４に相当する断面図である。
【図６】実施形態の第二変形例に係るカバー部材の平面図である。
【図７】図６のＶＩＩ−ＶＩＩ断面図である。
【図８】実施形態の第三変形例に係るカバー部材の図４に相当する断面図である。
【図９】実施形態の塗装忌避部の他の例を示す斜視図である。
【発明を実施するための形態】
【０００９】
以下、本発明の実施形態について図面を参照して説明する。以下の説明では、本発明のカバー部材を、鉄骨部材を構成する柱部材に適用した例を挙げて説明する。ここで、柱部材は、請求項に記載の「部材」に相当する。
【００１０】
＜柱部材＞
図１に示すように、柱部材２は、一方向に長手を有する矩形筒状をなしている。本実施形態のカバー部材１が適用されることによって、柱部材２の外面には、錆止め用の塗装が施される部分２０（以下「塗装部２０」ともいう。）と、前記塗装が施されない部分２１（以下「塗装忌避部２１」ともいう。）と、が設けられている。塗装忌避部２１は、柱部材２の長手方向の端部に設けられている。図中において、符号２ｃは柱部材２の中心軸線（以下「柱軸線」ともいう。）、符号２ｓは柱部材２の内部空間をそれぞれ示す。
【００１１】
＜カバー部材＞
図２に示すように、カバー部材１は、柱部材２の塗装忌避部２１（図１参照）を覆っている。図３に示すように、カバー部材１は、塗装忌避部２１の外周面２１ｆ（図１参照）に接する内周面１１と、内周面１１の形状を保持する外周部１２と、外周部１２に連なる蓋部１３と、を備えている。ここで、塗装忌避部２１の外周面２１ｆ（図１参照）は、請求項に記載の「部材の表面」に相当する。図２に示すように、外周部１２の外周面１２ｆ（以下「カバー側外周面１２ｆ」ともいう。）には、外周部１２を外側から固定する固定部材３が設けられている。
【００１２】
カバー部材１は、ゴム等の弾性部材で形成されている。実施形態において、カバー部材１の材料は、シリコン樹脂である。
【００１３】
柱軸線２ｃに沿う方向から見て、カバー部材１の外形は、円状をなしている。実施形態において、カバー部材１の外形は、実質的に真円である。図中において、符号１ｃはカバー部材１の中心軸線（以下「カバー軸線」ともいう。）を示す。実施形態において、カバー軸線１ｃは、柱軸線２ｃと一致している。以下、カバー軸線１ｃに平行な方向を「軸線方向」、カバー軸線１ｃと直交する方向を「径方向」、カバー軸線１ｃの回りの方向を「周方向」ともいう。
【００１４】
図３に示すように、カバー部材１は、円柱状をなす本体部１０の軸線方向一側の径方向中央部に、角丸を有する矩形状（角丸四角形）の凹部１０ａが形成されたものである（図４参照）。ここで、カバー部材１において、内周面１１と外周部１２とを含む切断平面を想定する。切断平面は、カバー軸線１ｃと直交する仮想平面でカバー部材１を切断した面である。切断平面におけるカバー部材１の形状は、図３に示すカバー部材１の平面視形状に相当する。
【００１５】
図３に示すように、切断平面におけるカバー部材１の内周面１１の連続形状（以下「内周面形状」ともいう。）は、円状ではない。実施形態において、内周面形状は、角丸を有する矩形状（角丸四角形）をなしている。言い換えると、内周面形状は、正方形の４つの角部を、径方向外方に凸の湾曲形状とした形状をなしている。内周面形状は、塗装忌避部２１の外周面２１ｆ（図１参照）の形状と実質的に同じである。
【００１６】
切断平面におけるカバー部材１の外周面１２ｆの連続形状（以下「外周面形状」ともいう。）は、円状である。実施形態において、外周面形状は、実質的に真円である。外周面形状の直径１ｄは、内周面形状の最大幅１ｗよりも大きい。ここで、内周面形状の最大幅１ｗは、対角に位置する２つの角部を結んだ直線の長さを意味する。
【００１７】
外周部１２は、塗装忌避部２１の角部２５（図１参照）を径方向外方から保持する角保持部１５と、塗装忌避部２１の辺部２６（図１参照）を径方向外方から保持する辺保持部１６と、を備えている。
【００１８】
図１に示すように、角保持部１５は、塗装忌避部２１の４つの角部２５に対応して４つ設けられている。角保持部１５の厚みは、固定部材３の締付け圧に耐え得る厚みとされている。すなわち、角保持部１５の厚みは、固定部材３の締付けによって割れ等が生じないように厚くされている。ここで、角保持部１５の厚みは、径方向における角保持部１５の長さである。角保持部１５の厚みは、内周面形状の最大幅１ｗの延長線上において最小となっている。図３において符号１５ｔは、角保持部１５の最小厚みを示している。
【００１９】
加えて、角保持部１５の厚みは、図２に示すカバー部材１の組付状態において複数本の柱部材２をプールに沈める場合に、柱部材２の本数を最大限確保し得る厚みとされている。すなわち、角保持部１５の厚みは、図２に示すカバー部材１の組付状態において、隣接する２つの柱部材２の間隔を可及的に小さくし得るように薄くされている。
【００２０】
図１に示すように、辺保持部１６は、塗装忌避部２１の４つの辺部２６に対応して４つ設けられている。図３に示すように、辺保持部１６の厚みは、周方向全体において角保持部１５よりも厚い。ここで、辺保持部１６の厚みは、径方向における辺保持部１６の長さである。辺保持部１６の厚みは、周方向における辺保持部１６の中央部において最大となっている。周方向における辺保持部１６の中央部は、塗装忌避部２１の辺部２６（図１参照）の中点に対応する部分である。図３において符号１６ｔは、辺保持部１６の最大厚みを示している。
【００２１】
図１に示すように、蓋部１３は、軸線方向の外方から塗装忌避部２１の端部を覆っている。蓋部１３は、外周部１２に連なっている。蓋部１３と外周部１２とは、同一の部材で一体に形成されている。実施形態において、蓋部１３と外周部１２とは、同一のシリコン樹脂で一体に形成されている。
【００２２】
＜固定部材＞
図２に示すように、固定部材３は、カバー側外周面１２ｆに沿う環状をなしている。具体的に、固定部材３は、カバー側外周面１２ｆに沿う環状をなすバンド部３０と、バンド部３０をカバー側外周面１２ｆに締め付ける締付部３１と、を備えている。ここで、カバー側外周面１２ｆのうち固定部材３（バンド部３０）が固定される部分は、請求項に記載の「固定部」に相当する。
【００２３】
例えば、固定部材３は、ホースクランプである。バンド部３０は、金属製のベルトである。締付部３１は、バンド部３０の両端部に連結されている。図２に示すカバー部材１の組付状態において、締付部３１は、辺保持部１６の外周面１６ｆに設けられている。具体的に、締付部３１は、辺保持部１６の外周面１６ｆの周方向中央部に設けられている。これにより、辺保持部１６の厚肉部（図３に示す最大厚み１６ｔを含む部分）において、締付部３１の径方向内方への移動が十分に許容されている。
【００２４】
図１に示すように、締付部３１は、ボルト３２と、ボルト３２を回動自在に支持するとともに、バンド部３０の両端部に連結される連結部３３と、を備えている。例えば、ボルト３２を時計回りに回動させることで、バンド部３０によって径方向外方から外周部１２を締め付け可能とされている。
【００２５】
＜柱部材の加工方法＞
次に、柱部材２の加工方法の一例について説明する。
柱部材２の加工方法は、カバー部材１１で柱部材２の塗装忌避部２１を覆った状態で行う。
柱部材２の加工方法は、柱部材２を塗装する前の前処理工程と、柱部材２を塗装する塗装工程と、塗装後の柱部材２を乾燥する乾燥工程と、を含む。
【００２６】
まず、カバー部材１で塗装忌避部２１を覆った状態で、柱部材２の前処理を行う。すなわち、カバー部材１が組み付けられた柱部材２（以下「カバー部材組付体５」ともいう。図２参照）に対して前処理を行う。前処理には、柱部材２の脱油、水洗等を行う洗浄処理と、洗浄処理後に柱部材２の表面をあらすエッチング処理と、が含まれる。
【００２７】
次に、柱部材２を塗装する。例えば、カバー部材組付体５をプールに沈めて塗装する。例えば、複数本のカバー部材組付体５をまとめてプールに浸漬させる。実施形態において、前記塗装は、電着塗装である。
【００２８】
その後、塗装後の柱部材２を乾燥する。例えば、複数本のカバー部材組付体５を、高温ガス（常温よりも高温のガス）の雰囲気中を移動するライン上に流す。
そして、乾燥後にカバー部材１を柱部材２から取り外すことにより、塗装忌避部２１が塗装されていない柱部材２を得ることができる。すなわち、塗装部２０のみが塗装された柱部材２を得ることができる。
【００２９】
以上説明したように、上記実施形態は、塗装忌避部２１の外周面２１ｆを覆うカバー部材１であって、塗装忌避部２１の外周面２１ｆに接する内周面１１と、内周面１１の形状を保持する外周部１２と、を備え、内周面１１と外周部１２とを含む切断平面を想定したとき、内周面形状は円状ではなく、外周面形状は円状である。
この構成によれば、カバー部材１の外周面形状が円状であることで、外周部１２が外側から締め付けられた場合、外周部１２の周方向に均等に力がかかるため、塗装忌避部２１の外周面２１ｆとカバー部材１の内周面１１とを密着させることができる。したがって、塗装忌避部２１の外周面２１ｆに塗装等の加工が施されてしまうことを確実に防止することができる。なお、加工には、柱部材２の洗浄処理、エッチング処理等の前処理が含まれる。加えて、内周面形状が円状ではなく、外周面形状が円状であることで、柱部材２の外周形状が円状以外の場合に広く適用することができる。
加えて、塗装忌避部２１の外周面２１ｆに付着した塗膜をグラインダー等で削る必要がないため、作業効率を向上することができる。
加えて、塗装忌避部２１の外周面２１ｆをマスキングテープで覆う場合と比較して、マスキングテープを巻回したり、塗装後に剥がしたりする手間がかからないため、作業性を向上することができる。また、作業者の技量に影響しないため、好適である。
加えて、カバー部材をクリップで固定する場合と比較して、手間がかからないため、作業性を向上することができる。
ところで、建物の構造躯体を構築する鉄骨部材は、錆等による局所的な強度劣化を確実に防止する必要がある。このため、鉄骨部材の表面には、錆止め用の塗装が施される。このような塗装は、鉄骨部材の表面全体に施す必要がある。例えば、２つの鉄骨部材を溶接する場合、それぞれの溶接部に塗装が施されていると、２つの鉄骨部材を溶接できないことがある。これに対し、この構成によれば、鉄骨部材の溶接部（塗装忌避部２１）が塗装されてしまうことを確実に防止することができるため、２つの鉄骨部材を溶接することができる。
【００３０】
また、上記実施形態では、カバー側外周面１２ｆにはカバー側外周面１２ｆに沿った形状の固定部材３が固定される固定部が設けられていることで、前記固定部に固定部材３を固定した場合に外周部１２の周方向全体にわたって均等に力をかけることができるため、塗装忌避部２１の外周面２１ｆとカバー部材１の内周面１１との密着性を高めることができる。したがって、塗装忌避部２１の外周面２１ｆに塗装等の加工が施されてしまうことをより確実に防止することができる。
【００３１】
また、上記実施形態では、柱部材２の表面を覆う蓋部１３を更に備えることで、カバー部材組付体５をプールに沈めた場合に、柱部材２の内側（内部空間２ｓ）に塗料が入り込むことを阻止することができる。
【００３２】
また、上記実施形態では、カバー部材１の材料がシリコン樹脂であることで、カバー部材１の材料がフッ素ゴムである場合と比較して、加工性に優れる。加えて、カバー部材１の材料がウレタンゴムである場合と比較して、耐熱性に優れる。加えて、カバー部材１の材料がウレタンゴムである場合と比較して、耐薬品性（具体的には、有機酸、高濃度アルカリ及び低濃度アルカリに対する耐性）に優れる。
【００３３】
また、上記実施形態では、内周面形状が矩形状であることで、以下の効果を奏する。ところで、矩形筒状の柱部材を、矩形枠状の溝部を有するカバー部材で覆い、柱部材とカバー部材との密着部分をクリップで固定する構造がある。しかし、クリップで固定していない部分においては、柱部材の表面とカバー部材の内周面との間に隙間が生じてしまい、柱部材の表面に塗装等の加工が施されてしまう可能性がある。これに対し、この構成によれば、内周面形状が矩形状であっても、外周面形状が円状であることで、外周部１２が外側から締め付けられた場合、外周部１２の周方向に均等に力がかかるため、塗装忌避部２１の外周面２１ｆとカバー部材１の内周面１１とを密着させることができる。したがって、塗装忌避部２１の外周面２１ｆに塗装等の加工が施されてしまうことを確実に防止することができる。すなわち、内周面形状が矩形状である場合は、内周面形状が円状である場合と比較して、塗装忌避部２１の外周面２１ｆとカバー部材１の内周面１１とを密着させることが困難であるため、塗装忌避部２１の外周面２１ｆに塗装等の加工が施されてしまうことを確実に防止する上で実益が大きい。
【００３４】
また、上記実施形態では、締付部３１が辺保持部１６の外周面１６ｆに設けられていることで、角保持部１５よりも厚い辺保持部１６によって締付部３１を受けることができるため、角保持部１５の耐久性を保つことができる。
【００３５】
また、上記実施形態では、角保持部１５の厚みは、カバー部材１の組付状態において、隣接する２つの柱部材２の間隔が小さくなるように薄くされていることで、複数本の柱部材２をプールに沈める場合に、柱部材２の本数を最大限確保することができる。また、複数本の柱部材２（カバー部材組付体５）の仮置きスペースを可及的に小さくすることができる。
【００３６】
また、上記実施形態では、上記カバー部材１で塗装忌避部２１の外周面２１ｆを覆った状態で柱部材２の前処理及び塗装を行うことで、塗装忌避部２１の外周面２１ｆが前処理されたり塗装されたりしてしまうことを確実に防止することができる。
【００３７】
＜変形例＞
以下、実施形態の変形例について説明する。なお、以下の説明においては、上述した実施形態と同様の構成については同一の符号を付して説明を省略する。
上記実施形態では、カバー部材１の外周面形状が実質的に真円である例を挙げて説明したが、これに限らない。例えば、外周面形状は、楕円又は正２４角形等の多角形であってもよい。すなわち、外周面形状は、外周部１２が外側から荷重を受けたときの応力を分散させる形状であればよい。これにより、外周部１２が外側から締め付けられた場合、外周部１２の局所に応力が集中しないため、塗装忌避部２１の外周面２１ｆとカバー部材１の内周面１１とを密着させることができる。したがって、塗装忌避部２１の外周面２１ｆに塗装等の加工が施されてしまうことを確実に防止することができる。例えば、外周面形状は、外周部１２が外側から荷重を受けたときの応力を塗装忌避部２１の外周面２１ｆに対して周方向に均等に分散させる形状であることが好ましい。
【００３８】
また、上記実施形態では、カバー部材１の内周面形状が矩形状である例を挙げて説明したが、これに限らない。例えば、内周面形状は、三角形、五角形、菱形、台形などの多角形であってもよい。すなわち、内周面形状は、円状でない形状であればよい。または、内周面形状は、外周面形状と異なっていればよい。
【００３９】
また、上記実施形態では、カバー部材１が柱部材２を覆う蓋部１３を備えた例を挙げて説明したが、これに限らない。例えば、カバー部材１は蓋部１３を備えていなくてもよい。例えば、図５に示すように、カバー部材１０１は、円柱状をなす本体部１０の径方向中央部を軸線方向に開口する矩形状（角丸四角形）の開口部１０ｈが形成されたものであってもよい。
または、図６に示すように、カバー部材２０１は、円柱状をなす本体部１０の径方向中央部を軸線方向に開口する矩形状（角丸四角形）の開口部１０ｉが形成されるとともに、開口部１０ｉの径方向外側において矩形枠状の凹部１０ｍが形成されたものであってもよい。言い換えると、図７に示すように、カバー部材２０１は、外周部１２の軸線方向における端部から径方向内方に延出した後に軸線方向内方に屈曲して延びて塗装忌避部２１（図１参照）を径方向内方から保持する延出部１４を更に備えていてもよい。
【００４０】
また、上記実施形態では、蓋部１３が外周部１２に連なっている例を挙げて説明したが、これに限らない。例えば、蓋部１３は、外周部１２に連なっていなくてもよく、外周部１２と別体であってもよい。
【００４１】
また、上記実施形態では、カバー側外周面１２ｆに固定部材３が設けられている例を挙げて説明したが、これに限らない。例えば、図８に示すように、カバー側外周面１２ｆに環状のガイド溝１２ｍが形成され、ガイド溝１２ｍに固定部材３（図１参照）が設けられていてもよい。これにより、固定部材３が軸線方向にずれることを抑制することができるため、固定部材３によってカバー部材３０１を安定して固定することができる。
【００４２】
また、上記実施形態では、カバー部材の材料がシリコン樹脂である例を挙げて説明したが、これに限らない。例えば、カバー部材の材料は、天然ゴム、ニトリルゴム、エチレン・プロピレンゴム、クロロブレンゴム、ウレタンゴム、フッ素ゴム等の他の材料であってもよい。
【００４３】
また、上記実施形態では、塗装が電着塗装のような浸漬塗装である例を挙げて説明したが、これに限らない。例えば、塗装はスプレー塗装等の他の塗装であってもよい。
【００４４】
また、上記実施形態では、固定部材３がホースクランプである例を挙げて説明したが、これに限らない。例えば、固定部材３は、結束バンド、輪ゴム又は環状のバネであってもよい。すなわち、固定部材３は、カバー側外周面１２ｆに沿う環状をなしていればよい。
【００４５】
また、上記実施形態では、柱部材２が一方向に長手を有する矩形筒状をなしている例を挙げて説明したが、これに限らない。例えば、柱部材２は矩形柱状をなしていてもよい。すなわち、柱部材２は中空構造ではなく中実構造であってもよい。
【００４６】
また、上記実施形態では、塗装忌避部２１が柱部材２の長手方向の端部に設けられている例を挙げて説明したが、これに限らない。例えば、図９に示すように、塗装忌避部２１は、柱部材２の一部から径方向外方に突出する突起部６に設けられていてもよい。
【００４７】
また、上記実施形態では、カバー部材１を、鉄骨部材を構成する柱部材２に適用した例を挙げて説明したが、これに限らない。例えば、カバー部材１を、鉄骨部材以外の金属部材を構成する部材に適用してもよい。また、カバー部材１を、鉄骨の柱以外の様々な部材に適用してもよい。
【００４８】
また、上記実施形態では、塗装忌避部２１が、２つの鉄骨部材を溶接する場合の溶接部である例を挙げて説明したが、これに限らない。例えば、塗装忌避部２１は、２つの鉄骨部材の当接面同士をボルト等の締結具で締結する場合の締結部（接合部分）であってもよい。
【００４９】
そして、上記実施形態における構成は本発明の一例であり、実施形態の構成要素を周知の構成要素に置き換える等、本発明の要旨を逸脱しない範囲で種々の変更が可能である。
【符号の説明】
【００５０】
１，１０１，２０１，３０１…カバー部材
１ｃ…カバー軸線
１ｄ…外周面形状の直径
１ｗ…内周面形状の最大幅
２…柱部材（部材）
２ｃ…柱軸線
２ｓ…内部空間
３…固定部材
５…カバー部材組付体
６…突起部
１０…本体部
１０ａ…凹部
１０ｈ…開口部
１０ｉ…開口部
１１…内周面
１２…外周部
１２ｆ…カバー側外周面（外周部の外周面）
１２ｍ…ガイド溝
１３…蓋部
１４…延出部
１５…角保持部
１６…辺保持部
１６ｆ…辺保持部の外周面
１６ｔ…辺保持部の最大厚み
２０…塗装部
２１…塗装忌避部
２１ｆ…塗装忌避部の外周面（部材の表面）
２５…角部
２６…辺部
３０…バンド部
３１…締付部
３２…ボルト
３３…連結部
【図１】
2018161621.tif 000003
【図２】
2018161621.tif 000004
【図３】
2018161621.tif 000005
【図４】
2018161621.tif 000006
【図５】
2018161621.tif 000007
【図６】
2018161621.tif 000008
【図７】
2018161621.tif 000009
【図８】
2018161621.tif 000010
【図９】
2018161621.tif 000011